(57)【特許請求の範囲】
【請求項１】
全体を陶器により形成された温灸装置であって、
上面開口容器の側面に取手部を設けると共に、上記容器の側面に薬草煙通気用の通気孔を形成し、
上記容器内底部に薬草を収納し得る薬草収納部を形成し、
上記容器の上面開口を閉鎖し得る蓋を設け、該蓋に薬草煙通気用の通気孔と温度調節用の透孔を設け、
上記容器側面の薬草煙通気用の通気孔は、上記取手部の取付け部に対向する上記容器の前面側に設けると共に、該容器前面の通気孔と上記取手部を結ぶ直線に略直交する方向の上記容器側面に設け、
かつ上記容器底部の薬草収納部に薬草煙通気用の複数の通気孔を設けると共に、各通気孔の周縁に複数の上向き突起を設け、
上記蓋を上方に凸のドーム状に形成し、上記薬草煙通気用の通気孔及び上記温度調節用の透孔を上記蓋の頂点部より下方水準位置に設け、
さらに、上記蓋の温度調節用の透孔は、上記蓋を容器に装着した状態において上記取手部を手で把持したとき、親指で閉鎖又は開放し得る位置に設けたものであることを特徴とする温灸装置。
【請求項２】
上記蓋の通気孔の貫設部又は該通気孔の隣接部に凹溝を設けたものであることを特徴とする請求項１記載の温灸装置。
【請求項３】
上記蓋に施される釉薬を上記容器に施される釉薬よりも薄くしたものであることを特徴とする請求項１又は２記載の温灸装置。
【請求項４】
上記蓋の通気孔の直径を上記容器の通気孔の直径より小さく形成したものであることを特徴とする請求項１〜３の何れかに記載の温灸装置。
【発明の詳細な説明】
【０００１】
【発明の属する技術分野】
本発明は、温灸或いは温灸指圧等に適した温灸装置に関するものである。
【０００２】
【従来の技術】
従来、筐体内にもぐさを入れて、温灸効果を得ることを目的とした温灸器が存在する。
【０００３】
このような従来の温灸器は、細長筒状の筐体内に棒状の固形もぐさを挿入し、細長筒状筐体の先端部を身体に当てることで、温灸効果を得るものであった（例えば特開平１０−３１４２７０号等）。
【０００４】
また、突起を有する金属製筐体内にもぐさを入れ、該もぐさを燃焼させた状態で上記筐体内から突出する突起部を身体に当てることで温灸指圧効果を得るもの等が存在する（実開昭５７−１９３８２１号等）。
【０００５】
【発明が解決しようとする課題】
ところで、前者の従来の温灸器では、身体に当てる温灸部が細長筒状筐体の先端部のみであるため、身体の各種患部に該先端部を当てる動作が今一つ行い難いものであった。また、後者の従来の温灸器では、突起部を身体に当てて使用するものであるが、該突起部には透孔が形成されておらず、筐体も金属製であるため、もぐさ等の薬効成分を十分に利用し得るとは言い難いものであった。
【０００６】
本発明は、上記従来の課題に鑑みてなされたものであって、使い勝手が良く、手軽に温灸或は温灸指圧を行い得て、かつ温度調節も容易な温灸装置を提供することを目的とする。
【０００７】
【課題を解決するための手段】
上記の目的を達成するため本発明は、
第１に、全体を陶器により形成された温灸装置であって、上面開口容器の側面に取手部を設けると共に、上記容器の側面に薬草煙通気用の通気孔を形成し、上記容器内底部に薬草を収納し得る薬草収納部を形成し、上記容器の上面開口を閉鎖し得る蓋を設け、該蓋に薬草煙通気用の通気孔と温度調節用の透孔を設け、上記容器側面の薬草煙通気用の通気孔は、上記取手部の取付け部に対向する上記容器の前面側に設けると共に、該容器前面の通気孔と上記取手部を結ぶ直線に略直交する方向の上記容器側面に設け、かつ上記容器底部の薬草煙収納部に薬草通気用の複数の通気孔を設けると共に、各通気孔の周縁に複数の上向き突起を設け、上記蓋を上方に凸のドーム状に形成し、上記薬草煙通気用の通気孔及び上記温度調節用の透孔を上記蓋の頂点部より下方水準位置に設け、さらに、上記蓋の温度調節用の透孔は、上記蓋を容器に装着した状態において上記取手部を手で把持したとき、親指で閉鎖又は開放し得る位置に設けたものであることを特徴とする温灸装置により構成されるものである。
【０００８】
上記容器は、例えば円筒状の容器（２）により構成することが好ましい。上記容器及び蓋の通気孔は、例えば容器（２）の前面側、左右側面等に複数個並列的に形成された通気孔（８ａ〜８ｃ，１４）等により構成することができる。上記取手部は棒状取手部（７）等により構成することができるが、例えば手等で把持し得るものであればその形状は限定されない。上記容器（２）底部（２ａ）の薬草収納部（９’）に薬草（Ｍ）を収納して該薬草（Ｍ）に着火し、上面開口（上面開口部４）を蓋（３）で閉鎖した後、取手部（７）を把持して容器（２）に形成された通気孔（８ａ〜８ｃ）部分、或いは蓋（３）に形成された通気孔（１４）部分等を身体に接触させることにより、容易に温灸効果を得ることができる。また、温度調節用の透孔（通気孔１７）を開閉することで、容器（２）の温度調節を行うことができる。
【００１０】
上記前面側の通気孔及び側面の通気孔は、例えば並列的に複数形成された通気孔（８ａ〜８ｃ）等により構成することができる。このように構成すると、取手部（７）を手等で把持した状態で、容器（２）前面側の通気孔（８ａ）部分、或いは容器（２）の側面側の通気孔（８ｂ，８ｃ）部分を身体の患部に容易に当てることができる。
【００１２】
底部の通気孔は例えば底部（２ａ）中央部に複数設けられた通気孔（９）等により構成することができる。容器（２）底部（２ａ）を身体に当てることにより、底部（２ａ）の通気孔（９）から薬効成分を身体に作用させることができる。
【００１４】
上記突起は、例えば複数の通気孔（９）間に設けられた突起（１０）等により構成することができる。上記薬草収納部（９’）の上向き突起（１０）により薬草（Ｍ）のずれを防止することができる。
【００１６】
上記通気孔は、例えば上記蓋（３）の前方側傾斜面に設けた通気孔（１４）により構成することができる。
【００１７】
第２に、上記蓋の通気孔の貫設部又は該通気孔の隣接部に凹溝を設けたものであることを特徴とする上記第１記載の温灸装置により構成される。
【００１８】
上記凹溝は、例えば通気孔（１４）の隣接部に設けられた凹溝（１５ａ）、或いは通気孔（１４）の貫設部に設けられた凹溝（１５ｂ）等により構成することができる。このように構成すると、上記蓋（３）の通気孔（１４）部分を身体に接触させても、凹溝（１５ａ，１５ｂ）により薬草煙の通気路が確保されるため、煙の流通を維持し得て、薬効成分を効果的に作用させることができる。
【００１９】
第３に、上記蓋に施される釉薬を上記容器に施される釉薬よりも薄くしたものであることを特徴とする上記第１又は２記載の温灸装置により構成されるものである。
【００２０】
このように構成すると、薬草の薬効成分が蓋（３）に浸透し易くなり、例えば蓋（３）上に手等を置くことにより、蓋（３）表面に浸出した薬効成分を直接手等に作用させることができる。
【００２２】
このように構成すると、上記取手部（７）を把持して温灸等を行いながら、容易に容器（２）の温度調節を行うことができる。
【００２３】
第４に、上記蓋の通気孔の直径を上記容器の通気孔の直径より小さく形成したものであることを特徴とする上記第１〜３の何れかに記載の温灸装置により構成されるものである。
【００２４】
上記容器の通気孔（８ａ等）の直径を例えば約３ｍｍ〜３．５ｍｍ程度とすると、上記蓋の通気孔（１４）の直径は、例えば約２ｍｍ程度とすることが好ましい。
【００２５】
尚、本項において、本発明に対応する各構成部材の符号をかっこ書で示したが、これは対応関係を明確にするために付したものであって、本発明がこれらの構成部材に限定されるものではないことは勿論である。
【００２６】
【発明の実施の形態】
以下、本発明の実施の形態を詳細に説明する。
【００２７】
図１は、本発明の温灸装置１の分解斜視図を示すものであり、該温灸装置１は、上面開口の円筒状の容器２と、上記開口を閉鎖する蓋３と、受け皿５から構成されている。
【００２８】
上記容器２は、全体として円筒状のカップ状に形成されており、上面には円形上面開口部４が形成されている。６は上記開口部４周縁において、該周縁から内部方向に向けて設けられた円形リブであり、当該円形リブ６上に上記蓋３が載置されるものである。７は上記容器２後面側の側面から斜め上方に突出形成された棒状取手部であり、図８に示すように当該取手部７を手で把持して容器２を持ち、かかる状態で温灸指圧等を行うものである。
【００２９】
８ａ、８ｂ、８ｃは上記容器２の外周側面に各々貫通穿設された通気孔（薬草煙通気用の通気孔）であり、薬草の煙を容器２内部から外部に通気させるものである。上記通気孔８ａは上記容器２の前面側において上段に４つ、下段に３つ左右方向に並列状に貫設されている（図２参照）。また、上記通気孔８ｂ、８ｃは、上記容器２の左右側面に各４つずつ並列状に貫設されている（図１、図３参照）。上記前面側の通気孔８ａは、上記棒状取手部７の取付部（取付基端部）に対向する上記容器２の前面側の側面、即ち、上記容器２の中心軸Ｓ（図７（イ）参照）を通り、上記取手部７に沿う直線Ａが、上記容器２前面側を貫通する貫通位置の近傍に、左右方向に並列状に設けられている（図６参照）。従って、上記取手部７、中心軸Ｓ及び上記通気孔８ａの貫設位置が上記直線Ａに沿って略一直線状に位置するように構成する。また、上記通気孔８ｂ、８ｃは、上記容器２の中心軸Ｓを通り、上記直線Ａに直交乃至は略直交する直線Ｂが、上記容器２の左右側面を貫通する位置の近傍に、前後方向に並列状に設けられている（図６参照）。尚、これら通気孔８ａ〜８ｃの直径は約３ｍｍ〜３．５ｍｍとすることが好ましい。また前面側通気孔（８ａ）部分は最も使用頻度が高いと考えられるため、上下の２列に形成している。
【００３０】
９は、上記容器２の底部２ａに貫通穿設された薬草煙通気用の通気孔であり（図５、図６参照）、上記底部２ａ中央部の略円形状の範囲内に複数個貫設されている。これら各通気孔９の周縁には、図７（ロ）に示すように、上方に向けた４つの薬草保持用突起（上向き突起）１０が略等間隔に突出形成され、これにより底部２ａ中央部に薬草収納部９’が形成されている。即ち、該薬草収納部９’には、複数の上記通気孔９間に複数の上記突起１０が設けられている。もぐさ等の薬草Ｍは上記通気孔９の上部に載置するが、このとき、上記各通気孔９周縁の上記複数の突起１０が上記薬草Ｍ下部に係合又は引っかかるため、上記容器２を多少傾けても該薬草Ｍが容易にずれることはない。また、薬草Ｍは上記底部２ａ中央部の薬草収納部９’に固定され、この状態で燃焼するため、温度むらが生じることなく、これにより容器２の温度を均等に保つことができるものである。
【００３１】
上記容器２の底部２ａには、上記通気孔９の周縁に沿ってリング状凸部１１が下向きに突出形成されており、図１０（イ）に示すように、上記底部２ａを身体Ｄに当てたときに薬草Ｍの煙の通気路１２が形成されるようになっている。
【００３２】
上記蓋３は、上記開口部４の上記リブ６上に載置して、該開口部４を閉鎖するものであり、全体として上方に凸のドーム状（帽子状）に形成されている（図１１参照）。該蓋３の上面には、上記直線Ｂに沿う左右方向に２箇所の摘用凹部１３ａ，１３ｂが凹設され、上記凹部１３ａ，１３ｂに沿う直線Ｂとは直交又は略直交する上記直線Ａに沿って、後方側に１箇所の摘用凹部１３ｃが凹設され、さらに上記摘用凹部１３ｃと対向する前面側、即ち、上記直線Ａに沿う前面側に複数の薬草煙通気用の通気孔１４が貫通穿設されている。
【００３３】
上記通気孔１４は、図２に示すように、蓋３の最上部（頂点）Ｐから前面側に下降する傾斜湾曲面Ｋ１において、上段列１４ａ、中段列１４ｂ、下段列１４ｃの３列に分けて設けられており、各列１４ａ〜１４ｃは略平行であって、全体として左端の最上部の通気孔１４’から斜め下方に向けて５〜６個の通気孔１４が貫設されている。そして、上記最上部の通気孔１４’の位置は、上記最上部Ｐよりも前面側下方位置に設けられている。即ち、上記通気孔１４，・・・は全体として、上記蓋３の最上部Ｐより下方水準位置の前面側側面に設けられている。これらの通気孔１４を蓋３の最上部Ｐより下方水準位置に設けたのは、上記通気孔１４を蓋３の最上部Ｐ近傍に設けると、装置１上下方向の空気の抜けが易くなり、装置１内外の空気の流通量が増加して、薬草Ｍの燃料が速くなるので、これを防止して、できるだけ薬草の煙を蓋３の内部に閉じ込めて、穏やかな薬草Ｍの燃焼を実現するためである。
【００３４】
さらに、上記上段列１４ａの上方隣接部には、該列１４ａに沿う左右方向に、上記上段列１４ａより低い水準位置の通気用凹溝１５ａが、上記上段列１４ａの通気孔１４の列に沿って設けられている。即ち、上記通気孔１４に隣接して該通気孔１４の貫設位置よりも低い位置に上記凹溝１５ａが形成されている（図３参照）。尚、この凹溝１５ａの左右方向長さは、上記上段列１４ａの通気孔１４の貫設範囲と略同一か、多少長く形成する。また、上記中段列１４ｂ部分には該中段列１４ｂの貫設部に沿って、上記上段列１４ａより低い水準位置の通気用凹溝１５ｂが、該中段列１４ｂの通気孔１４の貫設範囲に対応して設けられている。即ち、上記中段列１４ｂの各通気孔１４は、該通気用凹溝１５ｂ内に設けられている。このように構成することにより、上記通気孔１４部分を身体Ｄに密着させた場合であっても、図１０（ロ）に示すように、上記凹溝１５ａ，１５ｂにより通気路１６が形成されるため、上記各通気孔１４から装置１外部への薬草Ｍの煙の通りを良くすることができる。尚、上記通気孔１４の直径は、上記通気孔８ａ〜８ｃ（約３ｍｍ〜３．５ｍｍ）より少し小さく、例えば約２ｍｍ程度に形成することが好ましい。これは、上記蓋３の通気孔１４の直径を大きくすると、装置１内外の空気の流通量が増加して、薬草Ｍの燃焼が早くなるため、これを防止して、できるだけ薬草の煙を蓋３の内部に閉じ込めて、薬草Ｍの燃焼を穏やかにするためである。
【００３５】
上記蓋３は、図２、３に示すように、上記通気孔１４の部分が前面側となるように上記開口部４のリブ６上に載置して使用する。
【００３６】
１７は、上記蓋３の凹部１３ａ内に貫通穿設された温度調節用通気孔（透孔）であり、図８に示すように、上記棒状取手部７を手で把持した状態で、親指Ｇを上記凹部１３ａに当てることにより上記通気孔１７を閉鎖し、該親指Ｇを上記凹部１３ａから離すことにより、上記通気孔１７を開放し得るように構成されている。この通気孔１７は容器２内の温度を調節するためのもので、上記通気孔１７を閉鎖すると、装置１内外への空気の流通量が低下して容器２内の薬草Ｍの燃焼が抑えられ、これにより容器２の温度が低下する。また、上記通気孔１７を開放すると、装置１内外の上記空気の流通量が増加して上記薬草Ｍの燃焼が促進され、これにより容器２の温度を上昇させることができるものである。即ち、上記通気孔１７を開閉することにより、容器２の温度調節を行うことができる。尚、上記通気孔１７の直径は上記通気孔（８ａ等）より若干大きく（例えば約４ｍｍ〜４．５ｍｍ程度に）形成することが好ましい。
【００３７】
５は受け皿であり、使用時に上記容器２を載置したり、薬草を調合するために使用するものである。
【００３８】
上記容器２は陶器製であり、上記容器２内外表面には素地に通常の釉薬を塗布して焼成することにより形成する。上記蓋３は同じく陶器製であるが、いわゆる焼締めにより形成するか、或いは該蓋３内外表面に上記容器２より釉薬を薄く塗布して焼成することにより形成する。上記蓋３を焼締め或いは釉薬を薄く塗布して形成すると、蓋３の容器２への装着状態で当該装置１の使用を継続することにより、容器２内部の薬草Ｍの煙に含まれる薬効成分が上記蓋３内を浸透して蓋３の表面上に浸出し易くなる。これにより、上記蓋３上に手の平等を載置することにより、手の平等に薬効成分を直接作用させることができるようにするためである。また、容器２も陶器により形成されているものであるから、当該装置１の使用の継続により、容器２表面にも薬草煙の薬効成分が徐々に浸出して、同様の効果を得ることができるものである。尚、このような浸透効果を得るためには、装置１を低火度で焼成して形成することが好ましい。
【００３９】
本発明の温灸装置１は、上述のように構成されるものであるから、該温灸装置１を使用するには、まず蓋３の摘用凹部１３ａ〜１３ｃを摘んで該蓋３を開けて、容器２内の底部２ａの通気孔９上面の薬草収納部９’に、もぐさ等の薬草Ｍを丸めて載置する（図７（イ）参照）。このとき、上記各通気孔９周縁には複数の突起１０が形成されているので、該突起が薬草Ｍ下面に係合し、乃至は引っかかって、薬草Ｍは当該位置に固定される。その後、薬草Ｍの上部に火を着けて、蓋３により上記容器２の上面開口部４を閉鎖する。このとき、図２に示すように、蓋３の通気孔１４が上記容器２の前面側に位置するように載置する（図２、図４、図８参照）。
【００４０】
すると、薬草Ｍが徐々に燃焼し、その薬効成分を含んだ煙が上記容器２側面の通気孔８ａ〜８ｃ、底部２ａの通気孔９、及び蓋３の通気孔１４から装置１外部に排気される。このとき、上記蓋３の通気孔１４が上記蓋３の頂点部Ｐ近傍に存在せず、頂点Ｐから下方水準位置の前方側傾斜面（傾斜湾曲面Ｋ１）側に設けられており、かつこれらの通気孔１４の直径が上記容器２の通気孔８ａ〜８ｃよりも若干小さいため、空気の流通が比較的抑えられ、上記薬草Ｍの燃焼が穏やかとなり、徐々に燃焼していく。そして、燃焼が進むにつれて、容器２内の温度が上昇し、該温度が容器２及び蓋３を介して該容器２及び蓋３の外部表面に伝達される。そして、容器２或いは蓋３の各外部表面を身体に当てると、該身体に適度に刺激を与え得る温度にまで上昇する。
【００４１】
温度調節を行う場合は、図８に示すように、棒状取手部７を手で把持した状態で、親指Ｇで上記通気孔１７を閉鎖すれば良い。すると、上記装置１内外の空気流量がより制限され、それにより上記薬草Ｍの燃焼が抑えられ、該容器２内の温度は低下する。一方、温度を上昇させたい場合は、上記親指Ｇを上記通気孔１７から離して該通気孔１７を開放すれば良い。すると、該通気孔１７から容器２内の空気が排気され、装置１内外の空気の流通量が増加して上記薬草Ｍの燃焼も促進され、その結果、容器２内の温度が上昇する。
【００４２】
そして、温灸を行う場合は、上記容器２の温度が適度に上昇した後、上記取手部７を把持して容器２を持った状態で、該容器２前面側の通気孔８ａ、側面側の通気孔８ｂ又は８ｃ、底部側の通気孔９、或いは蓋３の通気孔１４の何れかの部分を身体の患部等に接触させれば良い。すると、上記容器２の温度により患部に心地よい温度刺激を与えることができると共に、各通気孔８ａ〜８ｃ、９又は１４から排気される煙を患部に直接当てることができ、該煙に含まれる薬効成分を患部に作用させる、いわゆる温灸効果を得ることができる。また、上記各通気孔８ａ〜８ｃ、９又は１４の部分を身体に押し当てることにより、上記温灸効果を得ながら指圧効果をも得ることができ、いわゆる温灸指圧作用を得ることができる。この場合、取手部７を持って各通気孔部分を患部に当てた状態で、該患部に容易に圧力をかけることができる。
【００４３】
このとき、上記通気孔８ａは上記直線Ａに沿う容器２の前面側に設けられているので、図９（イ）に示すように、上記容器２を把持した状態で身体の患部Ｄ（例えば胸部、腹部等）に上記通気孔８ａ部分を楽に当てることができる。また、通気孔８ｂ、又は８ｃは上記直線Ｂに沿う容器２の左右側面側に設けられているので、図９（ロ）に示すように、上記容器２を把持した状態で身体の患部Ｄ（例えば胸部、腹部等）に上記通気孔８ｂ又は８ｃ部分を楽に当てることができる。このとき、上記容器２が円筒形であるため、図１０（ハ）に示すように、例えば通気孔８ａ（又は通気孔８ｂ，８ｃ）を身体に当てた場合、全ての通気孔８ａ（又は通気孔８ｂ，８ｃ）が閉鎖されず、該通気孔８ａ（又は通気孔８ｂ，８ｃ）を身体に当てた状態でも閉鎖されていない通気孔８ａ（又は通気孔８ｂ，８ｃ）が存在するため、閉鎖されていない通気孔８ａ（又は通気孔８ｂ，８ｃ）から薬効成分を含む煙が排出されるため、煙の流通を維持し得て、効果的に薬効成分を身体に作用させることができる。
【００４４】
また、上記取手部７を把持した状態で、蓋３の通気孔１４部分を身体に当てることで、同様に温灸効果又は温灸指圧効果を得ることができる。この場合、通気孔１４が上記蓋３の前面側湾曲面Ｋ１に設けられているので、上記取手部７を手で把持した状態で、当該通気孔１４部分を腰部等の患部に容易に当てることができる。また、上記通気孔１４部分を身体に当てた場合、図１０（ロ）に示すように、上記通気孔１４の列に沿う通気用凹溝１５ａ，１５ｂが設けられているので、通気路１６が形成され、上記各通気孔１４が完全に閉鎖されてしまうことはないため、上記と同様に、煙の流通を維持し得て、効果的に薬効成分を身体（患部）に作用させることができる。
【００４５】
また、上記容器２の底部２ａの通気孔９の部分を身体の患部（例えば腹部等）に当てることで、同様に温灸効果又は温灸指圧効果を得ることができる。例えば、上向きに寝た姿勢で、胸部或いは腹部等に上記容器２の底部２ａを載置するような楽な姿勢で温灸を行うことができる。この場合、上記底面にリング状凸部１１が形成されているため（図１０（イ））、身体と通気孔９との間に通気路１２が形成され、上記と同様に煙の流通を維持し得て効果的に薬効成分を身体に作用させることができる。
【００４６】
また、上記取手部７を把持した状態で、各通気孔（８ａ〜８ｃ，９又は１４）を身体に当てた状態で、親指Ｇで温度調節用通気孔１７を閉鎖又は開放することで、容器２の温度調節をすることができ、温灸又は温灸指圧を行いながら、容器２の温度を自分の好みの温度に調節することができる。
【００４７】
また、上記蓋３は、上述のように焼締め或いは釉薬を薄く塗布しているので、当該温灸装置１の使用を継続すると、薬草の薬効成分が蓋３の内部に徐々に浸透して、蓋３表面側に浸出する。従って、蓋３上に手等（例えば手の平等）を当てることにより、上記蓋３表面上に浸出した上記薬効成分を直接身体に作用させることができるし、上記蓋３を身体に当てることにより、上記通気孔１４から出る煙のみならず、蓋３の表面に浸出した薬効成分を身体に直接作用させることができる。尚、容器２も陶器により形成されているため、上記薬効成分は継続的な使用により上記容器２表面側にも徐々に浸出して、該容器２側面を身体に接触させることにより、上記薬効成分を身体に吸収させることができるものである。
【００４８】
以上のように、本発明によれば、取手部７を把持して容器２を持った状態で、各通気孔（８ａ〜８ｃ，９，１４）部分を身体の患部に容易に当てることができ、どのような姿勢であっても、極めて楽な姿勢で安全に、温灸、或いは温灸指圧を行うことができるものである。
【００４９】
また、各通気孔（８ａ〜８ｃ，９，１４）を身体に接触させた状態でも、容器２の円筒形状、蓋３の凹溝１５ａ、１５ｂ、底面の凸部１１等により煙の流通が維持されるため、薬効成分を効果的に患部に作用させることができるものである。
【００５０】
また、温灸装置１全体が陶器により構成されているので、薬効成分が装置１の壁面を浸透して表面に浸出するため、蓋３或いは容器２を患部に当てることにより、薬草Ｍの煙のみならず、表面に浸出した薬効成分による治療効果を得ることができるものである。
【００５１】
また、蓋３の通気孔１４の直径を容器２側の通気孔より小さく形成し、また上記通気孔１４を蓋３の頂点部Ｐより下方水準位置に設けたので、できるだけ煙を閉じ込めて、薬草を穏やかに燃焼させることができるものである。
【００５２】
また、底部２ａに薬草保持用の突起１０を設けたので、薬草Ｍのずれを防止することができるものである。
【００５３】
また、蓋３に温度調節用の通気孔１７を設け、取手部７を把持した状態で、当該通気孔１７を親指Ｇ等で開閉可能に設けたので、温灸又は温灸指圧を行いながら、容器２の温度調節を容易に行うことができ、最適の温度で温灸等を行うことができるものである。
【００５４】
【発明の効果】
上述のように、本発明によれば、取手部を把持して容器を持った状態で、各通気孔部分を身体の患部に容易に当てることができ、極めて使い勝手が良く、薬効成分を効果的に患部に作用させることができるものである。
【００５５】
また、装置全体を陶器により構成したので、装置表面への薬効成分の浸出に基づく効果的な温灸効果を得ることができるものである。
【図面の簡単な説明】
【図１】本発明に係る温灸装置の分解斜視図である。
【図２】同上装置の正面図である。
【図３】同上装置の側面図である。
【図４】同上装置の平面図である。
【図５】同上装置の底面図である。
【図６】図２のＸ−Ｘ線断面図である。
【図７】（イ）は同上装置の容器の底部近傍の縦断面図、（ロ）は通気孔近傍の拡大図、（ハ）は通気孔の断面図である。
【図８】同上装置を手で把持した状態の斜視図である。
【図９】（イ）（ロ）共に、同上装置の使用状態を示す平面図である。
【図１０】（イ）（ハ）は、同上装置の使用状態における各通気孔近傍の拡大断面図、（ロ）は同上使用状態における蓋の通気孔近傍の拡大図である。
【図１１】蓋の縦断面図である。
【符号の説明】
１  温灸装置
２  容器
２ａ  底部
３  蓋
４  上面開口部
８ａ〜８ｃ  通気孔
７  棒状取手部
９’  薬草収納部
９  通気孔
１０  突起
１４  通気孔
１５ａ，１５ｂ  凹溝
１７  通気孔
Ｇ  親指
Ｐ  頂点部
【図１】
0003623935.tif 000002
【図２】
0003623935.tif 000003
【図３】
0003623935.tif 000004
【図４】
0003623935.tif 000005
【図５】
0003623935.tif 000006
【図６】
0003623935.tif 000007
【図７】
0003623935.tif 000008
【図８】
0003623935.tif 000009
【図９】
0003623935.tif 000010
【図１０】
0003623935.tif 000011
【図１１】
0003623935.tif 000012